(57)【特許請求の範囲】
【請求項１】
基地局と無線通信を行う第１の無線通信を行う第１の通信手段と、音声リンク及び制御リンクを利用してハンズフリー装置と無線通信を行う第２の通信手段とを備え、前記第１の通信手段を介して音声信号を送受信し自装置のマイクロフォンとスピーカを用いて通話を行う通常通話と、前記第１の通信手段および前記音声リンクを介して音声信号を送受信することで前記ハンズフリー装置を用いた音声通話を可能とする移動通信端末装置において、
前記第２の通信手段を介して前記ハンズフリー装置との間に制御リンクを確立し、前記ハンズフリー装置からの発信の待ち受け状態とする第１のリンク確立手段と、
前記ハンズフリー装置との間で確立した制御リンクを介して発信相手の識別情報を含む発信要求の受信に応じ、前記第２の通信手段を介し前記ハンズフリー装置との間に前記音声リンクの確立処理を行う第２のリンク確立手段と、
前記発信要求の受信に応じ、前記発信相手の識別情報を用いて前記第１の通信手段を介して基地局への発信を行う発信手段と、
前記第２のリンク確立手段による前記音声リンクの確立ができなかった場合、前記発信手段による基地局への発信を中止する発信中止手段と
を具備したことを特徴とする移動通信端末装置。
【請求項２】
前記発信相手の識別情報と電話番号とを対応付けて記憶するデータベースを更に備え、前記発信手段は前記ハンズフリー装置から受信した発信要求に含まれる発信相手の識別情報に基づいて前記データベースを検索し、この検索の結果得られた電話番号を用いて前記基地局への発信を行うことを特徴とする請求項１に記載の移動通信端末装置。
【請求項３】
前記発信中止手段によって基地局への発信処理が中止された場合、前記制御リンクを介して発信が中止された旨の情報を前記ハンズフリー装置へ通知する通知手段を更に具備したことを特徴とする請求項１に記載の移動通信端末装置。
【請求項４】
前記発信中止手段によって基地局への発信処理が中止された場合、前記制御リンクを介して前記ハンズフリー装置から発信を待ち受ける状態に戻ることを特徴とする請求項１に記載の移動通信端末装置。
【発明の詳細な説明】
【技術分野】
【０００１】
本発明は、移動通信端末装置に係り、特に移動通信端末装置とハンズフリー装置との間の通信にエラーが発生した場合の処理に関する。
【背景技術】
【０００２】
自動車の運転者が運転中に移動通信端末装置を手に持って通話することは、交通安全の
観点から問題が指摘されている。そこで、少なくとも、マイクロフォンとスピーカと少数
のキースイッチとから構成されたハンズフリー装置を車内に設置し、運転者は、そのハン
ズフリー装置を用いて移動通信端末装置を手に持たずに通話ができるようにする処理が知
られている。ここで、移動通信端末装置とハンズフリー装置との間は、例えば、ブルート
ゥース（登録商標）方式による近距離無線通信回線を用いて接続することが知られている
。
【０００３】
このように、移動通信端末装置とハンズフリー装置とが近距離無線通信回線を用いて接
続されたハンズフリーシステムにおいては、例えば、移動通信端末装置とハンズフリー装
置との間に電波を遮断する物が通過する場合、移動通信端末装置とハンズフリー装置との
間の通信にエラーが発生することがある。特に、ハンズフリー装置を用いた通話中にエラ
ーが発生した場合、通話は中断される一方、移動通信端末装置と移動通信網を用いて接続
された通信装置との回線は切断されないため、通話料金が発生する可能性がある。
【０００４】
そこで、移動通信端末装置とハンズフリー装置との間の通信のレベルが所定のレベルよ
り悪い場合、移動通信端末装置と移動通信網との通信を切断する処理が開示されている（
例えば、特許文献１参照。）。
【特許文献１】特開２００２−３００６４８号公報（第２頁、図１）
【発明の開示】
【発明が解決しようとする課題】
【０００５】
しかしながら、上述した特許文献１に開示されている方法では、ハンズフリー装置から
通話相手の通信装置に発信をした後、その通信装置が着呼をしていない際に移動通信端末
装置とハンズフリー装置との間の通信にエラーが発生した場合、これらの装置の間で音声
情報の通信が行えず、その結果、ハンズフリー装置と上記通信装置との通話が行えないに
もかかわらず、通話料金が発生する問題点があった。
【０００６】
本発明は、上記問題点を解決するためになされたもので、ハンズフリー装置からの発信要求に基いて発信処理を行った後、ハンズフリー装置との間の通信にエラーが発生した場合、ハンズフリー装置を用いた通話が行えないにもかかわらず通話料金が発生することを防ぐことが可能な移動通信端末装置を提供することを目的とする。
【課題を解決するための手段】
【０００７】
上記目的を達成するために、本発明の移動通信端末装置は、基地局と無線通信を行う第１の無線通信を行う第１の通信手段と、音声リンク及び制御リンクを利用してハンズフリー装置と無線通信を行う第２の通信手段とを備え、前記第１の通信手段を介して音声信号を送受信し自装置のマイクロフォンとスピーカを用いて通話を行う通常通話と、前記第１の通信手段および前記音声リンクを介して音声信号を送受信することで前記ハンズフリー装置を用いた音声通話を可能とする移動通信端末装置において、前記第２の通信手段を介して前記ハンズフリー装置との間に制御リンクを確立し、前記ハンズフリー装置からの発信の待ち受け状態とする第１のリンク確立手段と、前記ハンズフリー装置との間で確立した制御リンクを介して発信相手の識別情報を含む発信要求の受信に応じ、前記第２の通信手段を介し前記ハンズフリー装置との間に前記音声リンクの確立処理を行う第２のリンク確立手段と、前記発信要求の受信に応じ、前記発信相手の識別情報を用いて前記第１の通信手段を介して基地局への発信を行う発信手段と、前記第２のリンク確立手段による前記音声リンクの確立ができなかった場合、前記発信手段による基地局への発信を中止する発信中止手段とを具備したことを特徴としている。
【発明の効果】
【０００９】
本発明によれば、ハンズフリー装置から発信要求に基いて発信処理を行った後、このハンズフリー装置との間の通信にエラーが発生した場合、前記発信処理を中止するため、前記ハンズフリー装置を用いた通話が行えないにもかかわらず通話料金が発生することを防ぐことが出来る。
【発明を実施するための最良の形態】
【００１０】
以下に、本発明による本発明によるハンズフリーシステムの実施の形態を、図面を参照
して説明する。図１は、本発明の実施形態に係るハンズフリーシステムの構成を示すブロ
ック図である。
【００１１】
このハンズフリーシステムは、移動通信網に接続された通信端末装置（図示せず）との
間で通話を行う、本発明の実施形態に係るハンズフリー制御方法が適応され、本発明の実
施形態に係る移動通信端末装置１と、この移動通信端末装置１を経由して上記通話を行う
ハンズフリー装置２と、移動通信端末装置１とハンズフリー装置２とを接続する近距離無
線通信網３とからなる。
【００１２】
図２は、移動通信端末装置１の構成を示すブロック図である。この移動通信端末装置１
は、装置全体の制御を行う制御部１１と、基地局（図示せず）との間で電波の送受信を行
うアンテナ１２ａと、通信部１２ｂと、送受信部１３と、スピーカ１４ａと、マイクロフ
ォン１４ｂと、通話部１４ｃと、利用者からの操作指示を入力する入力部１５と、利用者
へ情報の提示を行う表示部１６と、近距離無線通信の電波の送受信を行うアンテナ１７ａ
と、近距離無線通信部１７ｂと、近距離無線送受信部１８とからなる。
【００１３】
図３は、ハンズフリー装置２の構成を示すブロック図である。このハンズフリー装置２
は、装置全体の制御を行う制御部２１と、近距離無線通信の電波の送受信を行うアンテナ
２２ａと、近距離無線通信部２２ｂと、近距離無線送受信部２３と、スピーカ２４ａと、
マイクロフォン２４ｂと、通話部２４ｃと、利用者からの操作指示を入力する入力部２５
とからなる。
【００１４】
まず、移動通信端末装置１の各部の動作を、図２を参照して説明する。通信部１２ｂは
、アンテナ１２ａを介して受信した高周波信号を送受信部１３に送信する。また、送受信
部１３から出力される高周波信号をアンテナ１２ａに送信する。
【００１５】
送受信部１３は、通信部１２ｂからの高周波信号を増幅、周波数変換及び復調し、それ
によって得たデジタル音声信号を通話部１４ｃまたは近距離無線送受信部１８に送信し、
また、制御信号を制御部１１に送信する。更には、通話部１４ｃまたは近距離無線送受信
部１８から出力されるデジタル音声信号、及び制御部１１から出力される制御信号を変調
、周波数変換及び増幅し、高周波信号を得て、それを通信部１２ｂに送信する。
【００１６】
通話部１４ｃは、送受信部１３から出力されるデジタル音声信号をアナログ音声信号に
変換し、それを増幅してスピーカ１４ａに送る。また、マイクロフォン１４ｂが出力する
アナログ音声信号を増幅し、それをデジタル音声信号に変換して送受信部１３へ送信する
。
【００１７】
入力部１５は、複数のキースイッチからなり、制御部１１からの起動信号により、利用
者が操作したキースイッチを識別するコード信号を制御部１１へ通知する。
【００１８】
表示部１６は、例えばＬＣＤの表示部であり、制御部１１より起動されることにより、
表示動作を開始する。入力部１５からの入力信号に応答して、制御部１１より新しい画面
が起動されるまで、同じ表示動作を続ける。
【００１９】
次に、近距離無線通信部１７ｂは、アンテナ１７ａを介して近距離無線通信網３から受
信した近距離無線高周波信号を近距離無線送受信部１８に送信する。また、近距離無線送
受信部１８から出力される高周波信号をアンテナ１７ａを介して近距離無線通信網３に送
信する。ここで、近距離無線通信は、例えばブルートゥース（Ｒ）方式を用いても良いし
、無線ＬＡＮ方式を用いても良い。また、赤外線通信方式を用いても良い。
【００２０】
近距離無線送受信部１８は、近距離無線通信部１７ｂを経由して近距離無線通信網３に
音声信号を送受信するための音声リンクを近距離無線送受信部２３と通信して確立及び切
断し、音声リンクを介して近距離無線通信部１７ｂによって受信された高周波信号を増幅
、周波数変換及び復調し、それによって得たデジタル音声信号を送受信部１３に送信する
。また、送受信部１３から出力されるデジタル音声信号を変調、周波数変換及び増幅し、
高周波信号を得て、それを音声リンクを介して近距離無線通信部１７ｂに送信させる。
【００２１】
更に、近距離無線送受信部１８は、近距離無線通信部１７ｂを経由して近距離無線通信
網３に制御信号を送受信するための制御リンクを近距離無線送受信部２３と通信して確立
及び切断し、制御リンクを介して近距離無線通信部１７ｂによって受信された高周波信号
を増幅、周波数変換及び復調し、それによって得た制御信号を制御部１１に送信する。ま
た、制御部１１から出力される制御信号を変調、周波数変換及び増幅し、高周波信号を得
て、それを制御リンクを介して近距離無線通信部１７ｂに送信させる。
【００２２】
次に、ハンズフリー装置２の各部の動作を、図３を参照して説明する。近距離無線通信
部２２ｂは、アンテナ２２ａを介して近距離無線通信網３から受信した近距離無線高周波
信号を近距離無線送受信部２３に送信する。また、近距離無線送受信部２３から出力され
る高周波信号をアンテナ２２ａを介して近距離無線通信網３に送信する。ここで、近距離
無線通信の方式は、近距離無線通信部１７ｂの説明で説明した通りである。
【００２３】
近距離無線送受信部２３は、近距離無線通信部２２ｂを経由して近距離無線通信網３に
音声信号を送受信するための音声リンクを近距離無線送受信部１８と通信して確立及び切
断し、音声リンクを介して近距離無線通信部２２ｂによって受信された高周波信号を増幅
、周波数変換及び復調し、それによって得たデジタル音声信号を通話部２４ｃに送信する
。また、通話部２４ｃから出力されるデジタル音声信号を変調、周波数変換及び増幅し、
高周波信号を得て、それを音声リンクを介して近距離無線通信部２２ｂに送信させる。
【００２４】
更に、近距離無線送受信部２３は、近距離無線通信部２２ｂを経由して近距離無線通信
網３に制御信号を送受信するための制御リンクを近距離無線送受信部１８と通信して確立
及び切断し、制御リンクを介して近距離無線通信部２２ｂによって受信された高周波信号
を増幅、周波数変換及び復調し、それによって得た制御信号を制御部２１に送信する。ま
た、制御部２１から出力される制御信号を変調、周波数変換及び増幅し、高周波信号を得
て、それを制御リンクを介して近距離無線通信部２２ｂに送信させる。
【００２５】
通話部２４ｃは、近距離無線送受信部２３から出力されるデジタル音声信号をアナログ
音声信号に変換し、それを増幅してスピーカ２４ａに送る。また、マイクロフォン２４ｂ
が出力するアナログ音声信号を増幅し、それをデジタル音声信号に変換して近距離無線送
受信部２３へ送信する。更には、スピーカ２４ａから発生した音声がマイクロフォン２４
ｂから入力されることによって発生するハウリングを防止するためのエコーキャンセルを
行う。
【００２６】
入力部２５は、複数のキースイッチからなり、制御部２１からの起動信号により、利用
者が操作したキースイッチを識別するコード信号を制御部２１へ通知する。
【００２７】
上記のように構成された、本発明の実施形態に係るハンズフリーシステムの動作を、ま
ず、移動通信端末装置１の制御部１１によるハンズフリー機能の制御動作から説明する。
【００２８】
図４は、ハンズフリー装置２から発信する際の、移動通信端末装置１の制御部１１によ
るハンズフリー機能の制御動作のフローチャートを示す。ハンズフリー機能の制御動作は
、移動通信端末装置１に電源が投入された時点で動作を開始し（ステップＳ１１ａ）、近
距離無線送受信部１８を制御して、近距離無線送受信部１８とハンズフリー装置２の近距
離無線送受信部２３との間で所定の認証を経て近距離無線回線の制御リンクを確立する操
作を行わせ（ステップＳ１１ｂ）、そのリンクを確立する（ステップＳ１１ｃ）。
【００２９】
続いて、制御部１１は、ハンズフリー装置２の制御部２１から発信をする旨の要求と、
発信先の通信装置の識別子とを制御リンクを介して受信し（ステップＳ１１ｄ）、受信さ
れた識別子を検索キーにアドレス帳データベース（図示せず）から発信先の通信装置の電
話番号を検索し、発信先の電話番号の検索の完了、即ち、発信が可能であることをハンズ
フリー装置２の制御部２１に通知する（ステップＳ１１ｅ）。
【００３０】
そして、制御部１１は、近距離無線送受信部１８を制御して、近距離無線送受信部１８
と移動通信端末装置１の近距離無線送受信部１８との間で通話音声信号を通信するための
近距離無線回線の音声リンクの確立操作を行わせ（ステップＳ１１ｆ）、同時に、移動通
信網に対して上記発信先の通信装置の電話番号への発信の操作を送受信部１３を制御して
行わせる（ステップＳ１１ｇ）。
【００３１】
そして、音声リンクが確立されたか否かを近距離無線送受信部１８からの通知によって
調べ（ステップＳ１１ｈ）、確立に失敗した、即ち、音声リンクが確立されていないと判
断した場合、ステップＳ１１ｇで行わせた発信の操作を送受信部１３を制御して中止させ
（ステップＳ１１ｉ）、移動通信網に対する発信の操作の中止をハンズフリー装置２の制
御部２１に通知する（ステップＳ１１ｊ）。そして、ステップＳ１１ｄのハンズフリー装
置２からの発信をする旨の要求と、発信先の通信装置の識別子とをステップＳ１１ｃで確
立された制御リンクを介して受信する動作に戻る。
【００３２】
一方、ステップＳ１１ｈで音声リンクが確立されていると判断した場合、ステップＳ１
１ｇで行わせた発信の操作に対して発信先の通信装置による着呼処理が行われ、即ち、通
話が確立されたことを送受信部１３からの通知によって調べた後、ハンズフリー装置２に
よる通話を行わせ（ステップＳ１１ｋ）、ハンズフリー装置２から通話は終了した旨の通
知を受信すると、ステップＳ１１ｆで確立された音声リンクを近距離無線送受信部１８を
制御して切断させて（ステップＳ１１ｍ）、ステップＳ１１ｄのハンズフリー装置２から
の発信をする旨の要求と、発信先の通信装置の識別子とをステップＳ１１ｃで確立された
制御リンクを介して受信する動作に戻る。
【００３３】
ここで、ハンズフリー装置２による発信先の通信装置との通話、即ち、ハンズフリー通
話を行わせるには、制御部１１は、送受信部１３を制御して、通信部１２ｂからの高周波
信号を増幅、周波数変換及び復調して得たデジタル音声信号を近距離無線送受信部１８に
音声リンクを介して送信させ、また、音声リンクを介して受信された近距離無線送受信部
１８からのデジタル音声信号を変調、周波数変換及び増幅して高周波信号を得て、それを
通信部１２ｂに送信させる。
【００３４】
更に、近距離無線送受信部１８を制御して、音声リンクを介して受信された近距離無線
通信部１７ｂからの高周波信号を増幅、周波数変換及び復調して得たデジタル音声信号を
送受信部１３に送信させ、また、送受信部１３からのデジタル音声信号を変調、周波数変
換及び増幅して高周波信号を得て、それを近距離無線通信部１７ｂに音声リンクを介して
送信させる。
【００３５】
次に、本発明の実施形態に係るハンズフリーシステムの動作の中で、ハンズフリー装置
２の制御部２１によるハンズフリー機能の制御動作を説明する。
【００３６】
図５は、ハンズフリー装置２から発信する際の、ハンズフリー装置２の制御部２１によ
るハンズフリー機能の制御動作のフローチャートを示す。ハンズフリー機能の制御動作は
、ハンズフリー装置２に電源が投入された時点で動作を開始し（ステップＳ２１ａ）、近
距離無線送受信部２３を制御して、近距離無線送受信部２３と移動通信端末装置１の近距
離無線送受信部１８との間で所定の認証を経て近距離無線回線の制御リンクを確立する（
ステップＳ２１ｂ）。
【００３７】
そして、制御部２１は、移動通信端末装置１の制御部１１から近距離無線通信網３の制
御リンク経由で受信した通知、及び、入力部２５の所定のキー（図示せず）を介して利用
者が行った操作を入力して（ステップＳ２１ｃ）、それらの通知及び操作の入力に対応す
る処理を行う（ステップＳ２１ｄ）。そして、ステップＳ２１ｃへ戻って処理を繰返す。
【００３８】
ステップＳ２１ｃで、移動通信端末装置１の制御部１１から受ける通知には、「発信先
の電話番号の検索の完了」と、「音声リンクの確立操作」と、「移動通信網に対する発信
の操作の中止」と、「ハンズフリー装置による通話」とがある。また、利用者がハンズフ
リー装置２の入力部２５を介して行う操作として、「発信」と、「通話終了」とがある。
【００３９】
制御部２１は、「発信先の電話番号の検索の完了」の通知を受信すると、制御部２１内
に記憶されたハンズフリー装置２の状態を「発信中」に設定して、設定された状態を状態
表示部（図示せず）に表示する。また、「音声リンクの確立操作」の通知を受信すると、
近距離無線送受信部２３を制御して、音声リンクを確立させる。
【００４０】
更に、「移動通信網に対する発信の操作の中止」の通知を受信すると、制御部２１は、
制御部２１内に記憶されたハンズフリー装置２の状態を「待ち受け」に設定して、設定さ
れた状態を状態表示部に表示する。また、「ハンズフリー装置による通話」の通知を受信
すると、制御部２１内に記憶されたハンズフリー装置２の状態を「ハンズフリー通話」に
設定して、設定された状態を状態表示部に表示する。また、ハンズフリー装置２による通
話を行わせる。
【００４１】
ハンズフリー装置２による通話を行わせるには、制御部２１は、近距離無線送受信部２
３を制御して、音声リンクを介して受信された近距離無線通信部２２ｂからの高周波信号
を増幅、周波数変換及び復調して得たデジタル音声信号を通話部２４ｃに送信させる。ま
た、通話部２４ｃから出力されるデジタル音声信号を変調、周波数変換及び増幅して高周
波信号を得て、それを近距離無線通信部２２ｂに音声リンクを介して送信させる。
【００４２】
制御部２１は、「発信」の操作を入力すると、続いて、発信先の通信装置の識別子を入
力し、近距離無線送受信部２３を制御して、発信する旨と、発信先の通信装置の識別子と
を移動通信端末装置１の制御部１１に送信させる。また、「通話終了」の操作を入力する
と、制御部２１内に記憶されたハンズフリー装置２の状態を「待ち受け」に設定して、設
定された状態を状態表示部に表示する。更に、近距離無線送受信部２３を制御して、通話
は終了した旨を移動通信端末装置１の制御部１１に送信させる。
【００４３】
上記のように構成された、本発明の実施形態に係わるハンズフリーシステムの動作の一
例を説明する。図６は、本発明の実施形態に係わるハンズフリーシステムの動作の一例の
シーケンスを示す図であって、ステップＳ１１ｈで音声リンクの確立に失敗したと判断さ
れた場合の動作のシーケンスを示す。
【００４４】
ハンズフリーシステムは、近距離無線通信網３の回線の制御リンク確立操作から動作を
開始し（図４のステップＳ１１ｂと、図５のステップＳ２１ａ）、制御リンクを確立する
（図４のステップＳ１１ｃと、図５のステップＳ２１ｂ）。そして、ハンズフリー装置２
は、発信の要求と、発信先の通信装置の識別子とを移動通信端末装置１に送信する（図５
のステップＳ２１ｄと、図４のステップＳ１１ｄ）。
【００４５】
すると、移動通信端末装置１は、発信先の通信装置の電話番号の検索を行い、発信が可
能であることをハンズフリー装置２に通知し（図４のステップＳ１１ｅと、図５のステッ
プＳ２１ｃ）、続いて、音声リンクの確立操作を行う（図４のステップＳ１１ｆと、図５
のステップＳ２１ｃ）。続いて、移動通信端末装置１は、移動通信網に対して発信の操作
を行う（図４のステップＳ１１ｇ）。
【００４６】
ここで、移動通信端末装置１は、上記音声リンクの確立に失敗したと判断された場合（
図４のステップＳ１１ｈの「確立に失敗」）、移動通信網に対する上記発信操作を中止し
（図４のステップＳ１１ｉ）、発信操作を中止した旨をハンズフリー装置２に通知する（
図４のステップＳ１１ｊと、図５のステップＳ２１ｃ）。
【００４７】
以上の説明では、移動通信端末装置１の制御部１１は、図４のステップＳ１１ｆの音声
リンクの確立操作とステップＳ１１ｇの移動通信網への発信操作とを同時に行うとしたが
、これに限るものではない。例えば、ステップＳ１１ｆの音声リンクの確立操作を行い、
ステップＳ１１ｈで音声リンクが確立されていると判断した後に、ステップＳ１１ｇの移
動通信網への発信操作を行っても良い。
【００４８】
また、移動通信端末装置１の制御部１１は、図４のステップＳ１１ｈで音声リンクの確
立に失敗したと判断した場合、ステップＳ１１ｉで発信操作を中止するとしたが、これに
限るものではない。発信要求を行った装置をハンズフリー装置２から移動通信端末装置１
であると変更、即ち、移管して、通常通話、即ち、発信先の通信装置と移動通信端末装置
１の間の通話を行っても良い。更に、入力部１５の所定のキーの操作によって動作を変更
し、図４のステップＳ１１ｈで音声リンクの確立に失敗したと判断した場合、発信操作の
取り消しと、通常通話のいずれかの動作を行うとしても良い。
【００４９】
発信要求を行った装置をハンズフリー装置２から移動通信端末装置１に移管して通常通
話を行うには、移動通信端末装置１の制御部１１は、送受信部１３を制御して、通信部１
２ｂからの高周波信号を増幅、周波数変換及び復調して得たデジタル音声信号を通話部１
４ｃに送信させ、また、通話部１４ｃからのデジタル音声信号を変調、周波数変換及び増
幅して高周波信号を得て、それを通信部１２ｂに送信させる。更に、近距離無線送受信部
１８を制御して、デジタル音声信号の送受信を停止させ、近距離無線通信網３を経由して
ハンズフリー装置２の制御部２１にハンズフリーモードの設定の解除を通知する。
【００５０】
また、ハンズフリー装置２の制御部２１は、制御部１１から「ハンズフリーモードの設
定の解除」の通知を受信すると、近距離無線送受信部２３を制御して、デジタル音声信号
の送受信を停止させる。更に、制御部２１内に記憶されたハンズフリー装置２の状態を「
移動通信端末装置による通話」に設定して、設定された状態を状態表示部に表示する。
【００５１】
以上の説明では、ハンズフリー装置２は、車内に設置されるとしたが、これに限るもの
ではなく、室内に設置されていても良い。本発明は以上の構成に限定されるものではなく
、種々の変形が可能である。
【図面の簡単な説明】
【００５２】
【図１】本発明の実施形態に係るハンズフリーシステムの構成を示すブロック図。
【図２】本発明の実施形態に係る移動通信端末装置の構成を示すブロック図。
【図３】本発明の実施形態に係るハンズフリー装置の構成を示すブロック図。
【図４】本発明の実施形態に係る移動通信端末装置の制御部のハンズフリー機能の制御動作を示すフローチャート。
【図５】本発明の実施形態に係るハンズフリー装置の制御部の制御動作を示すフローチャート。
【図６】本発明の実施形態に係るハンズフリーシステムの動作の一例を示すシーケンス図。
【符号の説明】
【００５３】
１  移動通信端末装置
２  ハンズフリー装置
３  近距離無線通信網
１１  制御部
１２ｂ  通信部
１３  送受信部
１４ａ  スピーカ
１４ｂ  マイクロフォン
１４ｃ  通話部
１７ｂ  近距離無線通信部
１８  近距離無線送受信部
２１  制御部
２２ｂ  近距離無線通信部
２３  近距離無線送受信部
２４ａ  スピーカ
２４ｂ  マイクロフォン
２４ｃ  通話部
【図１】
0003842793.tif 000002
【図２】
0003842793.tif 000003
【図３】
0003842793.tif 000004
【図４】
0003842793.tif 000005
【図５】
0003842793.tif 000006
【図６】
0003842793.tif 000007